(57)【要約】【課題】  パチンコ店内の冷却された空気を利用するも店内の空気を直接導入することなく、パチンコ機背面側の空気温度や制御基板や駆動部などの発熱部品の温度上昇を十分に抑えることができ、よって制御基板などの動作を安定させることができるパチンコ機の提供を課題とする。【解決手段】  遊技盤等を備えたパチンコ機の前枠と、前枠を前面側に配置させるようにした外枠１０とを有し、制御基板や駆動部等の制御部品を前枠の背面側で外枠１０の上下左右の枠部１１〜１４の内側に構成される配置空間Ｓに配置するようにしたパチンコ機であって、配置空間Ｓから外枠１０の枠部内空を通って再び配置空間Ｓへ戻るようにした閉回路からなる通気路５０を構成し、通気路５０内を通る空気を途中の外枠１０の枠部１１〜１４において放熱手段を介してパチンコ店の店内の空気と熱交換冷却する。【選択図】        図３
2005143907.tif 000002
【特許請求の範囲】
【請求項１】
遊技盤等を備えたパチンコ機の前枠と、該前枠を前面側に配置させるようにした外枠とを有し、制御基板や駆動部等の制御部品を前記前枠の背面側で前記外枠の上下左右の枠部の内側に構成される配置空間に配置するようにしたパチンコ機であって、前記配置空間から前記外枠の枠部内空を通って再び配置空間へ戻るようにした閉回路からなる通気路を構成し、該通気路内を通る空気をその途中の外枠枠部において放熱手段を介してパチンコ店の店内の空気と熱交換冷却するようにしたことを特徴とするパチンコ機。
【請求項２】
放熱手段は、外枠の上下左右の枠部のうち、下枠部である幕板部に構成してあることを特徴とする請求項１に記載のパチンコ機。
【請求項３】
配置空間内の空気を通気路を通して強制循環させる強制循環ファンを配置したことを特徴とする請求項１又は２に記載のパチンコ機。
【請求項４】
遊技盤等を備えたパチンコ機の前枠と、該前枠を前面側に配置させるようにした外枠とを有し、制御基板や駆動部等の制御部品を前記前枠の背面側で前記外枠の上下左右の枠部の内側に構成される配置空間に配置するようにしたパチンコ機であって、通気入口部と通気出口部とこれら通気入口部から通気出口部までの間を構成する通気管部とを有する通気管ユニットを用い、該通気管ユニットの前記通気入口部と通気出口部とを前記配置空間に臨ませると共に前記通気管ユニットの前記通気管部を前記外枠の枠部に設けた開口窓から外方へ臨ませ、これによって該通気管部の少なくとも一部をパチンコ店の店内の空気と接触させて該通気管部内を通る空気を熱交換冷却するようにしたことを特徴とするパチンコ機。
【請求項５】
配置空間内の空気を通気管部内を通して強制循環させる強制循環ファンを配置したことを特徴とする請求項４に記載のパチンコ機。
【発明の詳細な説明】
【技術分野】
【０００１】
本発明はパチンコ機に関する。
【背景技術】
【０００２】
一般的なパチンコ機では、例えば主制御基板、払出制御基板、図柄制御基板といった多数の電子部品を搭載した制御基板や駆動部が設けられている。それらの各基板や駆動部、例えば各基板は各々専用の樹脂等の収納ボックス内に収容されて、遊技島設備に立設された各パチンコ機の背面側、即ち遊技島設備の内側に位置されている。一方、遊技者は遊技島設備の外側であるパチンコ店内において、パチンコ機に向かって遊技操作を行うようになされている。
前記制御基板等においては、通電時に多数の電子部品から生じる熱によって基板自体及びその周囲の温度が上昇し易く、また不正防止のために各々専用の収納ボックス内に収容されているため、ほぼ密閉状態で放熱し難くなっている。しかも通常のパチンコ機では、前記制御基板以外の駆動部、例えば可変入賞装置を駆動するソレノイドや発射機構を駆動する発射用モータなど、遊技開始に伴って駆動されることにより発熱を生じる発熱部品が、前記制御基板と同様にパチンコ機の背面側に配置されている。
以上のように通常のパチンコ機では、特に前記制御基板及び収納ボックスや前記駆動部等の発熱部品が発熱するため、パチンコ機の背面側が高温に温度上昇し易く、このため各種電子部品の動作が不安定になる可能性が生じる。
【０００３】
このような制御基板やその周囲の温度上昇を抑制するため、従来のパチンコ機では前枠（詳しくは前枠の裏機構板）の背面側に配設した複数の制御基板収納ボックスを通気用パイプで連通すると共に、このパイプを介して外気を複数の制御基板収納ボックスへ送風して、その内部の制御基板を冷却する構成が知られている（例えば特許文献１）。
また従来のパチンコ機では、制御基板収納ボックスに空気取入口と空気排出口と空気循環用電動ファンとを配設し、強制的に制御基板収納ボックス内の熱を放出させる構成が知られている（例えば特許文献２）。
【特許文献１】特開２００２−１０２５００号公報
【特許文献２】特開２００３−６２２８３号公報
【特許文献３】特開２００２−１６５９４７号公報
【発明の開示】
【発明が解決しようとする課題】
【０００４】
上記特許文献１や特許文献３のように、冷却媒体である外気（空気）を導入するようにしたパチンコ機では、遊技店内の空気を各種制御基板ボックス内の制御基板へ導入することとなる。ところが、遊技店内はタバコの煙や塵・埃などの浮遊性の微細な異物が蔓延して、必ずしも清浄な空気ではない。このような空気が制御基板へ直接送られる前記従来のパチンコ機では、冷却された空気と共に埃や塵などの異物が制御基板収納ボックス内にッ侵入し、制御基板上の電子部品や配線パターンに付着するなどして、制御基板が故障する問題がある。
また防塵用フィルタを介して送風するように構成しても、フィルタ通過時の抵抗により十分な空気が導入されずに換気能力が低下し、空気環境が様々な遊技店に応じて適切なフィルタを選定することが困難である。
また上記特許文献２のように、基板ボックスに設けた電動ファンによりボックス内の空気を強制循環させる従来の遊技機では、制御基板ボックス内へ送られる空気は当該ボックス内と比較して低温であるものの、例えば遊技店内の温度や未稼動時に比べて温度が高くなっている背面側（特に制御基板ボックス周囲）の空気を制御基板ボックス内に送るため、十分な冷却効果が得られない欠点がある。
【０００５】
そこで本発明は上記従来の問題を解消し、パチンコ店内の冷却された空気を利用するも、パチンコ店内の空気を直接導入することなく、パチンコ機背面側の空気温度や制御基板や駆動部などの発熱部品の温度上昇を十分に抑えることができ、よってそれら制御基板などの動作を安定させることができるパチンコ機の提供を課題とする。
【課題を解決するための手段】
【０００６】
上記課題を達成するため、本発明のパチンコ機は、遊技盤等を備えたパチンコ機の前枠と、該前枠を前面側に配置させるようにした外枠とを有し、制御基板や駆動部等の制御部品を前記前枠の背面側で前記外枠の上下左右の枠部の内側に構成される配置空間に配置するようにしたパチンコ機であって、前記配置空間から前記外枠の枠部内空を通って再び配置空間へ戻るようにした閉回路からなる通気路を構成し、該通気路内を通る空気をその途中の外枠枠部において放熱手段を介してパチンコ店の店内の空気と熱交換冷却するようにしたことを第１の特徴としている。
前記において放熱手段とは、通気路を通る空気とパチンコ店の店内の空気との間に介在し、通気路内を通る空気の熱をパチンコ店内の冷やされた空気によって熱交換放熱させる手段であって、通気路を構成する外枠枠部そのものの一部である場合、通気路を構成する外枠枠部に付加される放熱部材を含む概念である。
また本発明のパチンコ機は、上記第１の特徴に加えて、放熱手段は、外枠の上下左右の枠部のうち、下枠部である幕板部に構成してあることを第２の特徴としている。
また本発明のパチンコ機は、上記第１又は２の特徴に加えて、配置空間内の空気を通気路を通して強制循環させる強制循環ファンを配置したことを第３の特徴としている。
また本発明のパチンコ機は、遊技盤等を備えたパチンコ機の前枠と、該前枠を前面側に配置させるようにした外枠とを有し、制御基板や駆動部等の制御部品を前記前枠の背面側で前記外枠の上下左右の枠部の内側に構成される配置空間に配置するようにしたパチンコ機であって、通気入口部と通気出口部とこれら通気入口部から通気出口部までの間を構成する通気管部とを有する通気管ユニットを用い、該通気管ユニットの前記通気入口部と通気出口部とを前記配置空間に臨ませると共に前記通気管ユニットの前記通気管部を前記外枠の枠部に設けた開口窓から外方へ臨ませ、これによって該通気管部の少なくとも一部をパチンコ店の店内の空気と接触させて該通気管部内を通る空気を熱交換冷却するようにしたことを第４の特徴としている。
また本発明のパチンコ機は、上記第４の特徴に加えて、配置空間内の空気を通気管部内を通して強制循環させる強制循環ファンを配置したことを第５の特徴としている。
【発明の効果】
【０００７】
請求項１に記載のパチンコ機によれば、パチンコ機の前枠の背面側で外枠の上下左右の枠部の内側に構成される配置空間の空気は、該配置空間から外枠の枠部内空に構成された通気路内に入り、該通気路を通った後、再び配置空間に戻るという閉回路からなる循環をする。そして通気路内を通る空気は、その途中の外枠枠部において放熱手段を介してパチンコ店内の冷やされた空気によって熱交換冷却される。
通気路は閉回路とされているので、該通気路を介してパチンコ店の店内の汚れた空気が制御基板や駆動部等の制御部品が配置される配置空間内へ侵入してくることはない。
一方、パチンコ機の外枠はパチンコ店の店内側に面することができるので、その外枠の枠部内の通気路を通る加熱空気は、その途中において外枠の枠部に構成された放熱手段を介してパチンコ店内側の冷やされた空気と接触することができ、該パチンコ店内の空気によって十分に冷却されて、配置空間に循環することができる。熱交換冷却された空気は配置空間内に戻って該配置空間の温度を下げ、或いは制御部品に直接的に接触してその制御部品の温度上昇を効果的に抑制することができる。よってまた制御基板や駆動部等の制御部品の動作の安定性を確保することができる。
【０００８】
また請求項２に記載のパチンコ機によれば、上記請求項１に記載の構成による効果に加えて、放熱手段は、外枠の下枠部である幕板部に構成してある。この幕板部は現にパチンコ店の店内に十分な面積で面することができ、パチンコ店内の空気と十分に接することができる。従ってこの幕板部に放熱手段を構成することで、放熱手段をパチンコ店内の冷やされた空気と十分に接触させることができ、通気路内を通る空気の熱を放熱手段を介して効果的に放出することができる。
また外枠の下枠部である幕板部はパチンコ機の最下部付近に位置するため、パチンコ機でいえば、パチンコ球を溜める下皿よりも更に下の位置となり、目立たない所で且つ遊技者の遊技操作等にも何ら影響を与えることなく、必要な放熱を行うことができる。
【０００９】
また請求項３に記載のパチンコ機によれば、上記請求項１又は２に記載の構成による効果に加えて、配置空間内の空気を通気路を通して強制循環させる強制循環ファンを配置したことにより、該強制循環ファンによって、制御部品が配置される配置空間の空気を強力に通気路を通って循環させることができ、冷却された空気によって配置空間の温度を効果的に低下させ、また配置空間にある制御部品に直接的に接触してその温度を効果的に下げることができる。
【００１０】
また請求項４に記載のパチンコ機によれば、１つのユニットである通気管ユニットは、その通気入口部と通気出口部とが配置空間に臨み、且つ前記通気入口部と通気出口部との間を構成する通気管部が外枠の枠部に設けた開口窓から外方へ臨む。制御基板や駆動部等の制御部品からの発熱によって加熱された配置空間の空気は、通気管ユニットの通気入口から入り通気管部を通った後、通気出口から配置空間に循環する。そして通気管部は少なくともその一部が前記開口窓から外方へ臨んでパチンコ店内の空気と接触するようになされているので、通気管部内を通る空気はその間にパチンコ店内の冷やされた空気によって熱交換冷却される。
配置空間から通気管ユニットを通って配置空間に戻る循環路は閉回路であるので、パチンコ店の店内の汚れた空気が通気管ユニットを介して制御基板や駆動部等の制御部品が配置される配置空間内へ侵入してくることはない。
一方、パチンコ機の外枠はパチンコ店の店内側に面することができるので、その外枠の枠部に設けた開口窓から通気管ユニットの通気管部をパチンコ店内側の冷やされた空気と接触させることができ、該パチンコ店内の空気によって通気管部を介して通気管部内を流れる空気を熱交換冷却することができる。これによって熱交換冷却された空気は配置空間内に戻って該配置空間の温度を下げ、或いは制御部品に直接的に接触してその制御部品の温度上昇を効果的に抑制することができる。よってまた制御基板や駆動部等の制御部品の動作の安定性を確保することができる。
更に通気管ユニットは外枠とは別体に設けられるので、外枠そのものについては、従来ながらの木製の枠を用いることができるメリットがある。即ち、例えば熱伝導性のよい金属用材料で枠体を構成する場合に比べて、製造コストを安価にすることができる。また外枠が木製であると、木製の前枠を外枠に取り付ける場合等、パチンコ機の組み立てが容易に行える。勿論、現存のパチンコ機に追加構成する形で通気管ユニットを後から組み込むことも可能である。
【００１１】
また請求項５に記載のパチンコ機によれば、上記請求項４に記載の構成による効果に加えて、配置空間内の空気を通気管部内を通して強制循環させる強制循環ファンを配置したことにより、該強制循環ファンによって、制御部品が配置される配置空間の空気を強力に通気管路を通って循環させることができ、冷却された空気によって配置空間の温度を効果的に低下させ、また配置空間にある制御部品に直接的に接触してその温度を効果的に下げることができる。
【発明を実施するための最良の形態】
【００１２】
（第１実施形態）
図１〜図１１を参照して、本発明の第１の実施形態を説明する。
図１は本発明の装置を搭載したパチンコ機の全体斜視図、図２は同パチンコ機の裏面側を示す図、図３はパチンコ機の要部を示す分解斜視図、図４は外枠の縦断面図、図５は外枠の一部断面図である。図６は放熱カバーを示し、（Ａ）は全体斜視図、（Ｂ）は一部垂直断面斜視図である。図７は整流部材を示し、（Ａ）は全体斜視図、（Ｂ）は一部垂直断面斜視図、（Ｃ）は一部水平断面斜視図である。図８は外枠に整流部材、放熱カバー、幕板カバーが取り付けられた状態を示す斜視図、図９は外枠に整流部材、放熱カバー、幕板カバーが取り付けられた状態を示す水平断面図、図１０は外枠の通気路を示す背面図、図１１は外枠の通気路に設けられる口蓋、強制循環ファンの取り付けを説明する背面斜視図である。
【００１３】
先ず図１を参照して、パチンコ機１は、外枠１０の前面側に前枠２０を配置している。
前記前枠２０には、その前面の上半部に開閉可能なガラス扉で覆われた遊技盤２１が設けられ、その遊技盤２１の下方にパチンコ球を溜める上皿２２が設けられ、更にその下方にパチンコ球を溜める下皿２３が設けられ、下皿２３の側方にパチンコ球を打つ操作グリップ２４が設けられている。また下皿２３の更に下方には幕板カバー２５が設けられている。
【００１４】
図２を参照して、前記前枠２０の背面側で前記外枠１０の上下左右の枠部１１〜１４の内側に構成される配置空間Ｓに、制御部品である主制御基板３１と該主制御基板３１に隠れた電源基板３２、発射制御基板３３、払出制御基板３４、図柄制御基板３５、払出モータ３６等が配置されている。
【００１５】
図３も参照して、前記外枠１０は、上枠部１１、右枠部１２、左枠部１３、及び左右枠部１２、１３の下部前面を渡すように設けられた幕板部１４（下枠部）からなる。
前記幕板部１４には、その前面側に凹部５１が形成され、該凹部５１に対して整流部材４１、放熱手段としての放熱カバー４２、及び幕板カバー２５が取り付けられる。前記放熱カバー４２は前記凹部５１を密閉状態にカバーする役割も果たす。
【００１６】
図４、図５も参照して、前記外枠１０の左右の枠部１２、１３に、それぞれ上下方向に延長して形成された内通路５２、５３が設けられている。該内通路５２、５３には枠部１２、１３の内面に開口された出入口５２ａ、５２ｂ、５２ｃ、５３ａ、５３ｂ、５３ｃが設けられている。また各内通路５２、５３は、その下端部において前記幕板部１４の凹部５１と連通するようになされている。
即ち、前記放熱カバー４２によって密閉状態にされた凹部５１と左右の枠部１２、１３に設けられた内通路５２、５３とによって通気路５０が構成される。これにより配置空間Ｓにある空気が一方の出入口５２ａ、５２ｂ、５２ｃ（５３ａ、５３ｂ、５３ｃ）から通気路５０に入り、その途中である凹部５１を通って他方の出入口５３ａ、５３ｂ、５３ｃ（５２ａ、５２ｂ、５２ｃ）から再び配置空間Ｓに循環することができる閉回路が完成される。
【００１７】
図１０、図１１を参照して、前記各出入口５２ａ、５２ｂ、５２ｃ、５３ａ、５３ｂ、５３ｃの内の１つ５３ｃに、強制循環ファン６０をファン取付部材６１を介して取り付けている。また外枠１０の通気路５０の各出入口５２ａ、５２ｂ、５２ｃ、５３ａ、５３ｂ、５３ｃに、出入口蓋５４ａ、５４ｂ、５４ｃを取り付けている。
図１０、図１１の場合、強制循環ファン６０は左枠部１３の下の出入口５３ｃに取り付けられており、これによって配置空間Ｓの空気を吸い込んで、該出入口５３ｃから通気路５０内に吹込み、前記密閉された凹部５１を通して、右枠部１２の出入口５２ａ、５２ｂ、５２ｃから再び配置空間Ｓに吹き出すようにしている。空気が吹き出す前記出入口５２ａ、５２ｂ、５２ｃは図柄制御基板３５、主制御基板３１及び電源基板３２、発射制御基板３３等の制御部品の近くで、直接それら制御部品に当たるようにすることができる。
前記強制循環ファン６０が取り付けられた左枠部１３の他の出入口５３ａ、５３ｂは封止出入口蓋５４ｃが取り付けられて、空気の出入りがないようにしている。
また前記右枠部１２の上の出入口５２ａは、それ以上空気が通気路５０の上方へ流れないようにＬ型の排気出入口蓋５４ａが取り付けられ、右枠部１２の残る２つの出入口５２ｂ、５２ｃは空気が通気路５０の上方にも流れるようにＩ型の排気出入口蓋５４ｂが取り付けられている。
【００１８】
図３、図６〜図９を参照して、前記放熱手段である放熱カバー４２は、前記通気路５０の一部を構成する幕板部１４の凹部５１の開口部を密閉状態に覆う部材としての機能も果たす。放熱カバー４２の前面には突出する２つの放熱凸部４２ａが形成されている。この放熱カバー４２によって密閉される前記凹部５１には整流部材４１を配置させて、熱交換効率を上げるようにすることができる。
整流部材４１は凹部５１内を通る空気を放熱カバー４２側へ効率よく運び、放熱カバー４２による前記空気の熱交換冷却を効果的に達成するために用いる。整流部材４１は２枚の板状整流部４１ａの上下面に山形の案内凸部４１ｂを形成した銅製部材で構成することができる。
前記幕板カバー２５は、前記放熱カバー４２を含めて、幕板部１４の前面側を覆い、放熱カバー４２の取り外し防止と装飾性向上にために取り付けられる。この幕板カバー２５には、多数の空気穴２５ａを貫通して設け、パチンコ店内の冷やされた空気を前記空気穴２５ａを通して前記放熱カバー４２に十分に流れるようにしている。幕板カバー２５には弾性係合片２５ｂが設けられ、これが外枠１０に設けられた係合凹部１０ａに嵌り込むことで取り付けられる。
【００１９】
放熱は、例えばパチンコ機の稼動中において、強制循環ファン６０を運転することで、配置空間Ｓ内の空気が該配置空間Ｓから外枠１０の通気路５０内に入り、幕板部１４の凹部５１を通って、再び配置空間Ｓに戻るという閉回路からなる循環をする。そして通気路５０内を通る空気は、前記通気路５０途中の凹部５１において放熱カバー４２を介してパチンコ店内の冷やされた空気によって熱交換され、放熱、冷却される。
通気路５０は閉回路とされているので、該通気路５０を介してパチンコ店の店内の汚れた空気が制御基板や駆動部等の制御部品が配置される配置空間Ｓ内へ侵入してくることはない。
一方、パチンコ機の外枠１０の幕板部１４はパチンコ店の店内側に容易に面することができ、またパチンコ機の最下部付近の目立たない場所で且つ遊技者の遊技操作等にも何ら影響を与えないので、放熱、冷却には都合がよい。
【００２０】
上記第１実施形態において、外枠１０、放熱カバー４２はアルミダイキャスト製とすることができる。整流部材４１は銅製とすることができる。
勿論、前記放熱カバー４２は放熱手段として、アルミダイキャスト製の他、例えばアルミ板や銅板を板金成形したもの、その他の熱伝導性のよい材料を使用することができる。また成形方法も限定されない。
前記外枠１０の場合もアルミダイキャスト製の他、例えばアルミ板や銅板を板金成形したもの、その他の熱伝導性のよい材料を使用することができる。が、良熱伝導性が第１条件ではなく、通気路５０の密閉度を良好にできれば、プラスチックやその他の成形性のよい材料を用いることができる。
配置空間Ｓから通気路５０に導いた空気の熱交換冷却は、上記第１の実施形態では幕板部１４で行っているが、他の外枠１０の部分においても可能である。
なお、幕板部１４の凹部５１を流れる空気を放熱凸部４２ａへ案内するように整流部材４１を設けたが、この整流部材４１は省略可能である。
幕板部１４の凹部５１と放熱カバー４２との間、外枠１０の各出入口５２ａ、５２ｂ、５２ｃ、５３ａ、５３ｂ、５３ｃとそれらの出入口蓋５４ａ、５４ｂ、５４ｃとの間等、通気路５０の空気が漏れる可能性のある個所については、シール部材を用いて気密性を確保することができる。
例えば強制循環ファン６０のファン取付部材６１の内部空間や外枠１０の左右枠部１２、１３の内通路５２、５３等、通気路５０を構成する空間を曲面に形成して、空気の流れをより円滑になるようにすることができる。
【００２１】
強制循環ファン６０は、配置空間Ｓの空気を吸引して通気路５０に送り出すように取り付ける他、通気路５０内の空気を吸引して、配置空間Ｓ側へ送り出すようにしてもよい。
第１の実施形態の場合、パチンコ機を正面から眺めた場合に、左下の強制循環ファン６０から左周りに空気を循環させているが、逆に強制循環ファン６０を右下に設けて、右回りに空気を循環させてもよい。この場合は熱交換冷却された空気が左枠部１３の出入口５３ａ、５３ｂ、５３ｃから配置空間Ｓに循環導入されて、払出制御基板３４や払出モータ３６等をより直接的に送風、冷却する。勿論、配置空間Ｓの空気を通気路５０の中央から左右に分流して循環させてもよい。
外枠１０に形成した出入口５２ａ、５２ｂ、５２ｃ、５３ａ、５３ｂ、５３ｃは、各制御基板や駆動部等の制御部品に対応した位置に形成する他、予め適当な位置に複数個形成しておき、これらから使用しない個所の出入口を封止して、必要な個所のみ選択するようにすることができる。
通気路５０を通って冷却された空気を出入口から配置空間Ｓに循環導入する場合に、導入される空気を別途延長用の管を用いて、臨む位置まで空気を導いて吹き出すようにしてもよい。
出入口蓋５４ａ、５４ｂ、５４ｃ、ファン取付部材６１は、それぞれ専用の部材として成形し、後から外枠１０の所定個所に取り付けているが、外枠１０の成形時に一体成形することも可能である。
【００２２】
（第２実施形態）
図１２、図１３を参照して、本発明の第２の実施形態を説明する。
図１２はパチンコ機の要部を示す分解斜視図、図１３は放熱カバーを取り付けた状態を示す外枠の幕板部の断面図である。
【００２３】
この第２の実施形態は上記第１の実施形態の一部を変形させた実施形態である。外枠１０の凹部５１の形状、放熱カバー４２の形状が異なる点、及び別体としての整流部材４１が設けられていない点を除く構成は、上記第１の実施形態に示す構成と同じである。
図１２、図１３を参照して、本第２の実施形態では、外枠１０の幕板部１４の凹部５１の中央付近正面に、両端の角部を滑らかな曲面状にした凸状整流部５１ａを一体成形している。一方、放熱カバー４２には、前記凸状整流部５１ａよりも多少大きい略相似形の放熱凸部４２ｂを設け、これによって前記凸状整流部５１ａと前記放熱凸部４２ｂの内面との間に構成される隙間に空気が流れるようにしている。
配置空間Ｓから通気路５０に入った空気は、幕板部１４の凹部５１を通る際に前記凸状整流部５１ａによってスムーズに放熱カバー４２の放熱凸部４２ｂとの隙間に導かれ、効率よく放熱して熱交換冷却される。
【００２４】
（第３実施形態）
図１４〜図１６を参照して、本発明の第３の実施形態を説明する。
図１４はパチンコ機の要部を示す斜視図、図１５はパチンコ機の要部を示す断面図、図１６の（Ａ）は放熱板を取り外した状態のパチンコ機の要部を示す断面図、図１６の（Ｂ）は放熱板の断面図である。
【００２５】
第３の実施形態においては、外枠１０の幕板部１４に通気路５０の一部として内通路５５を形成している。また幕板部１４の背面側から前記内通路５５を介して前面側へ貫通する水平なスリット１４ａを複数形成している。そして放熱手段である放熱板７０を前記幕板部１４の背面側からスリット１４ａに通し、内通路５５を横切って幕板部１４前面側から突出するように取り付けて構成している。この場合、外気が内通路５５に入ってこないようにスリット１４ａと放熱板７０とは、十分、気密に取り付ける。
前記放熱板７０は、断面コ状に折り曲げた銅製薄板からなる第１放熱板７１と、端部に引掛部を形成した断面略Ｌ字形状の銅製薄板からなる第２放熱板７２とで構成することができる。各放熱板７０は幕板部１４の背面側で嵌合し、その先端が幕板部１４の前面から突出するようになされており、幕板部１４の前面側から放熱板７０を引抜いたり、取り外したりすることができないようにされている。
配置空間Ｓから通気路５０に入った空気は、幕板部１４の内通路５５を通る際に、パチンコ店内の冷えた空気にふれて冷たくなっている前記放熱板７０によって熱が奪われ、効率よく熱交換冷却される。
なお、放熱板７０は前記幕板カバー２５によって保護される。
【００２６】
（第４実施形態）
図１７、図１８を参照して、本発明の第４の実施形態を説明する。
図１７はパチンコ機の要部を示す斜視図、図１８の（Ａ）、（Ｂ）、（Ｃ）、（Ｄ）はパチンコ機の要部の組み立てを説明する図である。
【００２７】
上記第１の実施形態では幕板部１４の凹部５１に対して放熱カバー４２を前面側から取り付けるようにしているのに対し、本第４の実施形態では放熱カバー４２及び整流部材４１を上方から差し込んで取り付けることができるようにしており、取り付け後に放熱カバー４２等を客等が容易に取り外しできないようにしている。
第４の実施形態においては、外枠１０の幕板部１４に通気路５０の一部となる凹所５６を形成している。そしてこの凹所５６に組み付けられる部材として、放熱カバー４２、整流部材４１及び抜け止め棒蓋４３が用いられる。前記放熱カバー４２は、その上下端面にそれぞれ一対の係止片４２ｃ、４２ｃを設けている点を除き、上記第１の実施形態における放熱カバー４２と同じである。また整流部材４１は上記第１の実施形態における整流部材４１と同じである。
前記抜止め棒蓋４３は、前記凹所５６に組み付けられた放熱カバー４２の上に載って、放熱カバー４２が前面側に取り外されないようにする部材である。抜止め棒蓋４３の両端部は抜止め端４３ａとされている。
前記幕板部１４の凹所５６には、その両端の上端付近に前記抜止め棒蓋４３の抜止め端４３ａを受け入れる抜止め溝５６ａが設けられている。また凹所５６の下面の奥に前記放熱カバー４２の係止片４２ｃを受け入れる一対の係止穴５６ｂ、５６ｂを設けている。
【００２８】
図１８を参照して、組み立ては、先ず放熱カバー４２と整流部材４１とを組み付け（Ａ）、これを幕板部１４の凹所５６に対して上方から差入れて取り付ける（Ｂ）。そして更に抜止め棒蓋４３をその上から差し入れ（Ｃ）、放熱カバー４２上に当接させる（Ｄ）。抜止め棒蓋４３はその抜止め端４３ａで凹所５６の抜止め溝５６ａに嵌り込んで前方への取り出しが防止される。放熱カバー４２はその上端から突出する前記一対の係止片４２ｃが抜止め棒蓋４３によって前方への移動を阻止される。これによって放熱カバー４２は幕板部１４の前面側から取り外すことが出来なくなる。
前記抜止め棒蓋４３に対しては、その上に前枠２０が位置するために、組み立て後において抜止め棒蓋４３を容易に取り外すことはできない。
【００２９】
（第５実施形態）
図１９〜図２１を参照して、本発明の第５の実施形態を説明する。
図１９はパチンコ機の外枠の斜視図、図２０は外枠の要部の断面図、図２１は外枠の一部断面斜視図である。
【００３０】
本第５の実施例においては、外枠１０の下枠部である幕板部１４の前面に装飾性の放熱フィン８０を設け、また幕板部１４に通気路５０の一部として内通路５７を形成している。
前記放熱フィン８０は、幕板部１４に一体に形成した上下一対の波型フィン８１と、その上下の波形フィン８１、８１の間に設けられた菱形フィン８２からなり、菱形フィン８２は前記内通路５７内から前面側へ貫通して設けられている。
他の構成は第１の実施形態と同様である。
配置空間Ｓから通気路５０に入った空気は、幕板部１４の内通路５７を通る際に、パチンコ店内の冷えた空気にふれて冷たくなっている前記放熱フィン８０（８１、８２）によって熱が奪われ、効率よく熱交換冷却され、再び配置空間Ｓに戻り、制御部品を冷却する。
なお、この実施形態では第１の実施形態における幕板カバー２５は設けなくても、装飾性の前記放熱フィン８０がその代わりも果たしている。
前記放熱フィン８０は必ずしも設ける必要はないが、設けることによって、より効率よく放熱がなされる。
勿論、上記第２の実施形態における凸状整流部５１ａのような凸部を前記幕板部１４の内通路５７に設けて、これによって内通路５７が前面側へ湾曲して突出するようにすることで、パチンコ店内の冷やされた空気とより熱交換され易いようにすることもできる。
【００３１】
（第６実施形態）
図２２〜図２６を参照して、本発明の第６の実施形態を説明する。
図２２はパチンコ機の外枠に通気管ユニットを取り付けた状態の斜視図、図２３は通気管ユニットを説明する図で、（Ａ）は通気管ユニットの全体斜視図、（Ｂ）は通気管ユニットの一部断面斜視図、（Ｃ）は通気管ユニットの水平断面斜視図である。図２４は外枠の斜視図、図２５は外枠の分解斜視図、図２６は通気管ユニットの他の例を説明する図で、（Ａ）は通気管ユニットの全体斜視図、（Ｂ）は一部断面斜視図、（Ｃ）は水平断面斜視図である。
【００３２】
第６の実施形態においては、通気管ユニット９０を用いている。即ち、既述の実施形態においては、通気路５０を外枠１０の枠部１２、１３、１４に形成する構成としているのに対し、本実施形態では通気管ユニット９０を用いて、前記通気路５０と同様な役割を行わせている。
図２２、図２３を参照して、通気管ユニット９０は、通気入口部９１と、通気出口部９２と、前記通気入口部９１から通気出口部９２までの間を構成する通気管部９３とを有している。前記通気入口部９１には強制循環ファン６０を取り付けている。前記通気出口部９２は、その開口を上向きに少し延長させた構成としている。前記通気入口部９１と通気出口部９２の位置は逆でもよい。
通気管部９３は通気入口部９１及び通気出口部９２に対して少し前方に突出した状態に構成し、後述する開口窓１４ｂから前方（店内側）へ多少突出することができるようにしている。
通気管ユニット９０の両端部には係止用の鍔部９４を設けている。
通気管ユニット９０は熱伝導性のよい金属で構成するのがよい。
前記通気入口部９１から通気管ユニット９０に入った空気は通気管部９３を通って通気出口部９２から出ることができる。
【００３３】
図２２、図２４、図２５を参照して、外枠１０には、その下枠である幕板部１４に開口窓１４ｂを形成している。この開口窓１４ｂには前記通気管ユニット９０の通気管部９３が背後から嵌合することになる。
前記幕板部１４の開口窓１４ｂが形成される部分は窓形成部材１４ｃとして別部材に構成しており、この窓構成部材１４ｃを外枠１０に形成した嵌込凹部１０ｂに嵌め込んで固定することで、開口窓１４ｂのある幕板部１４が構成される。
前記開口窓１４ｂの両端部には前記通気管ユニット９０の鍔部９４を受け入れる嵌合受部１４ｄが設けられている。
【００３４】
今、前記窓構成部材１４ｃを外枠１０の嵌込凹部１０ｂに嵌め合せて固定することで、幕板部１４の開口窓１４ｂが構成された外枠１０が完成する。そしてこの外枠１０に対して通気管ユニット９０を背後から、その通気管部９３を開口窓１４ｂに差し込み、鍔部９４を嵌合受部１４ｄに嵌合させることで、通気管ユニット９０の組み付けが完成する。
【００３５】
前記外枠１０に組み付けられた通気管ユニット９０は、その通気入口部９１及び通気出口部９２が各基板３１、３２、３３、３４、３５や払出モータ３６等の制御部品が配置された配置空間Ｓにあり、また通気管部９３が幕板部１４の開口窓１４ｂから突出してパチンコ店内の冷やされた空気に十分接する位置にある。従って強制循環ファン６０の運転により配置空間Ｓから通気管ユニット９０内に入った空気は、出っ張った通気管部９３を通過する間にパチンコ店内の冷やされた空気によって熱交換放熱して冷却され、配置空間Ｓに戻る。これによって配置空間Ｓが冷却され、配置空間Ｓにある各制御部品が冷却される。
【００３６】
図２６に示す通気管ユニット９０は、通気管部９３の中央付近に通気入口部９１を設け、通気管部９３の両端部に通気出口部９２、９２を設けている。この場合、配置空間Ｓの空気は通気管部９３の中央付近の通気入口部９１から通気管ユニット９０に入り、両側に分かれて各通気出口部９２、９２から配置空間Ｓに戻る。
通気管ユニット９０における通気入口部９１や通気出口部９２の位置や向きは、それらが配置空間Ｓに臨んでいることを前提にして、限定されない。
通気管ユニット９０の通気出口部９２からは、配置空間Ｓの遠い位置にある制御部品を直接的に冷やすため、空気通路の延長手段を設けるようにしてもよい。
また本実施形態では、通気管ユニット９０の通気管部９３は幕板部１４からパチンコ店内に臨むように構成したが、外枠の他の枠部からパチンコ店内に臨むようにすることも可能である。
【図面の簡単な説明】
【００３７】
【図１】本発明の第１の実施形態に係る装置を搭載したパチンコ機の全体斜視図である。
【図２】パチンコ機の裏面側を示す図である。
【図３】パチンコ機の要部を示す分解斜視図である。
【図４】外枠の縦断面図である。
【図５】外枠の一部断面図である。
【図６】放熱カバーを示し、（Ａ）は全体斜視図、（Ｂ）は一部垂直断面斜視図である。
【図７】整流部材を示し、（Ａ）は全体斜視図、（Ｂ）は一部垂直断面斜視図、（Ｃ）は一部水平断面斜視図である。
【図８】外枠に整流部材、放熱カバー、幕板カバーが取り付けられた状態を示す斜視図である。
【図９】外枠に整流部材、放熱カバー、幕板カバーが取り付けられた状態を示す水平断面図である。
【図１０】外枠の通気路を示す背面図である。
【図１１】外枠の通風路に設けられる口蓋、強制循環ファンの取り付けを説明する背面斜視図である。
【図１２】本発明の第２の実施形態に係るパチンコ機の要部を示す分解斜視図である。
【図１３】放熱カバーを取り付けた状態を示す外枠の幕板部の断面図である。
【図１４】本発明の第３の実施形態に係るパチンコ機の要部を示す斜視図である。
【図１５】パチンコ機の要部を示す断面図である。
【図１６】パチンコ機の要部を示し、（Ａ）は放熱板を取り外した状態のパチンコ機の要部を示す断面図、（Ｂ）は放熱板の断面図である。
【図１７】本発明の第４の実施形態に係るパチンコ機の要部を示す斜視図である。
【図１８】第４の実施形態に係るパチンコ機の要部の組み立てを説明する図である。
【図１９】本発明の第５の実施形態に係るパチンコ機における外枠の斜視図である。
【図２０】パチンコ機における外枠の要部の断面図である。
【図２１】パチンコ機における外枠の一部断面斜視図である。
【図２２】本発明の第６の実施形態に係るパチンコ機において、外枠に通気管ユニットを取り付けた状態の斜視図である。
【図２３】通気管ユニットを説明する図で、（Ａ）は通気管ユニットの全体斜視図、（Ｂ）は通気管ユニットの一部断面斜視図、（Ｃ）は通気管ユニットの水平断面斜視図である。
【図２４】パチンコ機の外枠の斜視図である。
【図２５】パチンコ機の外枠の分解斜視図である。
【図２６】パチンコ機における通気管ユニットの他の例を説明する図で、（Ａ）は通気管ユニットの全体斜視図、（Ｂ）は通気管ユニットの一部断面斜視図、（Ｃ）は通気管ユニットの水平断面斜視図である。
【符号の説明】
【００３８】
１      パチンコ機
１０    外枠
１１    上枠部
１２    右枠部
１３    左枠部
１４    幕板部（下枠部）
１４ｂ  開口窓
２０    前枠
２１    遊技盤
２５    幕板カバー
３１    主制御板
３２    電源基板
３３    発射制御板
３４    払出制御板
３５    図柄制御基板
３６    払出モータ
４１    整流部材
４２    放熱カバー
４３    抜止め棒蓋
５０    通気路
５１    凹部
５２    内通路
５３    内通路
５５    内通路
５６    凹所
５７    内通路
６０    強制循環ファン
７０    放熱板
８０    放熱フィン
９０    通気管ユニット
９１    通気入口部
９２    通気出口部
９３    通気管部
Ｓ      配置空間
【図１】
2005143907.tif 000003
【図２】
2005143907.tif 000004
【図３】
2005143907.tif 000005
【図４】
2005143907.tif 000006
【図５】
2005143907.tif 000007
【図６】
2005143907.tif 000008
【図７】
2005143907.tif 000009
【図８】
2005143907.tif 000010
【図９】
2005143907.tif 000011
【図１０】
2005143907.tif 000012
【図１１】
2005143907.tif 000013
【図１２】
2005143907.tif 000014
【図１３】
2005143907.tif 000015
【図１４】
2005143907.tif 000016
【図１５】
2005143907.tif 000017
【図１６】
2005143907.tif 000018
【図１７】
2005143907.tif 000019
【図１８】
2005143907.tif 000020
【図１９】
2005143907.tif 000021
【図２０】
2005143907.tif 000022
【図２１】
2005143907.tif 000023
【図２２】
2005143907.tif 000024
【図２３】
2005143907.tif 000025
【図２４】
2005143907.tif 000026
【図２５】
2005143907.tif 000027
【図２６】
2005143907.tif 000028